(57)【要約】【課題】  表示入力デバイス上に紙媒体を置いて、紙媒体に対するデータ記録およびディスプレイを用いた電子データの利用をストレスなく実行可能としたシステムを提供する。【解決手段】  表示入力デバイス上に載置された紙媒体の位置を検出し、検出した表示入力デバイス上の紙媒体の位置に対応する表示情報を均一色の表示データとする制御を実行する。また、紙媒体の位置の外周部に、コマンド入力、あるいはデータ呼び出し用の入力部の表示処理を実行する。本構成により、ディスプレイ上に紙書類を置いて、紙書類に対してペンなどの筆記具によって文字、図面などを記録する場合の見づらさが改善され、また入力部の指定による関係データの表示が可能であり、ユーザに対して良好な作業環境を提供することが可能となる。【選択図】  図１
2006350927.tif 000002
【特許請求の範囲】
【請求項１】
表示入力デバイスに対する表示データの出力制御を実行する表示コントロール部と、
前記表示入力デバイス上の載置物の有無または位置を検出する載置物検出部とを有し、
前記表示コントロール部は、
前記載置物検出部の検出情報に基づき、前記表示入力デバイス上の載置物位置に対応する表示情報を均一色の表示データとする制御を実行する構成であることを特徴とする情報処理装置。
【請求項２】
前記表示コントロール部は、
前記載置物検出部の検出した前記表示入力デバイス上の載置物の位置の外周部に、コマンド入力、あるいはデータ呼び出し用の入力部の表示処理を実行する構成であることを特徴とする請求項１に記載の情報処理装置。
【請求項３】
前記表示コントロール部は、
前記載置物検出部の検出した前記表示入力デバイス上の載置物の位置に対応する位置に、載置物を介して認識可能としたコマンド入力、あるいはデータ呼び出し用の入力部の表示処理を実行する構成であることを特徴とする請求項１に記載の情報処理装置。
【請求項４】
前記表示コントロール部は、
前記載置物検出部の検出した前記表示入力デバイス上の載置物の位置に対応する位置に、載置物を介して認識可能としたデータの表示処理を実行する構成であることを特徴とする請求項１に記載の情報処理装置。
【請求項５】
前記表示入力デバイスは、
記表示入力デバイス上に載置された紙媒体に対して情報書き込みを行なうペンの書き込み情報を検出するセンサ機能を有し、
前記情報処理装置は、
前記表示入力デバイスから書き込み情報を入力し、データ記憶部に記憶する処理を実行する構成であることを特徴とする請求項１に記載の情報処理装置。
【請求項６】
前記情報処理装置は、さらに、
前記表示入力デバイス上に載置された紙媒体に対して情報書き込みを行なうペンの書き込み情報をベンを介して入力するペン対応のインタフェースを有することを特徴とする請求項１に記載の情報処理装置。
【請求項７】
情報処理方法であり、
表示入力デバイス上に載置された載置物の有無または位置を検出する検出ステップと、
前記検出ステップにおいて検出された検出情報に基づき、前記表示入力デバイス上の載置物位置に対応する表示情報を均一色の表示データとする制御を実行する表示コントロールステップと、
を有することを特徴とする情報処理方法。
【請求項８】
前記情報処理方法は、さらに、
前記検出ステップにおいて検出した前記表示入力デバイス上の載置物の位置の外周部に、コマンド入力、あるいはデータ呼び出し用の入力部の表示処理を実行するステップを有することを特徴とする請求項７に記載の情報処理方法。
【請求項９】
前記情報処理方法は、さらに、
前記検出ステップにおいて検出した前記表示入力デバイス上の載置物の位置に対応する位置に、載置物を介して認識可能としたコマンド入力、あるいはデータ呼び出し用の入力部を表示する処理を実行するステップを有することを特徴とする請求項７に記載の情報処理方法。
【請求項１０】
前記情報処理方法は、さらに、
前記検出ステップにおいて検出した前記表示入力デバイス上の載置物の位置に対応する位置に、載置物を介して認識可能としたデータの表示処理を実行するステップを有することを特徴とする請求項７に記載の情報処理方法。
【請求項１１】
前記情報処理方法は、さらに、
記表示入力デバイス上に載置された紙媒体に対して情報書き込みを行なうペンの書き込み情報を検出するステップと、
前記表示入力デバイスを介して書き込み情報を入力し、データ記憶部に記憶する処理を実行するステップと、
を有することを特徴とする請求項７に記載の情報処理方法。
【請求項１２】
情報処理をコンピュータ上において実行させるコンピュータ・プログラムであり、
表示入力デバイス上に載置された載置物の有無または位置を検出する検出ステップと、
前記検出ステップにおいて検出された検出情報に基づき、前記表示入力デバイス上の載置物位置に対応する表示情報を均一色の表示データとする制御を実行する表示コントロールステップと、
を有することを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、紙文書と、電子データとを併用して利用する構成を持つ情報処理装置、および情報処理方法、並びにコンピュータ・プログラムに関する。
【背景技術】
【０００２】
昨今、文書情報の電子化が様々な分野で行なわれている。テキストデータ、画像データを直接ＰＣなどを介して入力する他、例えば、紙媒体に記録された文字情報をＯＣＲ（Ｏｐｔｉｃａｌ  Ｃｈａｒａｃｔｅｒ  Ｒｅｃｏｇｎｉｔｉｏｎ）を利用して読み取りテキストデータとしてデータベースに格納する処理や、文字情報、画像情報などを、スキャナなどを利用してイメージデータとしてデータベースに格納する処理などが、様々な分野で行なわれている。
【０００３】
例えば医療関係の分野においても、カルテの電子化が促進されている。しかし、現状では、カルテ作成者である多くの医者は、紙媒体としてのカルテ用紙に診断情報、所見などを直接記入している。これは、法律的な側面と、データ入力に不慣れなユーザ（医者）の存在、さらに、カルテに記入される情報が、テキスト情報のみならず、患部を示す体や内臓の図を描くことが多く、これらの図をＰＣ等において生成することが容易とはいえないことなど、様々な側面がある。このような現状から、カルテの電子化は、紙媒体としてのカルテと電子カルテとの併用状態がしばらくは継続するものと予測される。
【０００４】
このような状況にあって、医者などのユーザが紙媒体に記入した文字、図形などの情報を電子データとして取り込むことで、紙媒体上のデータも電子データとして記録する処理構成が提案されている。
【０００５】
例えば、特許文献１には、ユーザの利用するペンの座標位置情報を取得して、ペンの軌跡を入力データとして、文字情報などをデータ化する構成が示されている。また、特許文献２、特許文献３には、ユーザが文字情報などを記入する紙媒体全体をカメラで撮影して紙媒体に対する記入情報を入力する構成を開示している。
【０００６】
また、特許文献４には、ユーザが文字情報などを記入する紙媒体全体をカメラで撮影して紙媒体に対する記入情報を入力する処理に加え、ユーザが文字情報などを記入する紙媒体に対して、ＰＣ等の情報処理装置に記録されたアイコンなどのデータをプロジェクタによって投影表示し、マウス操作によって指示を行なうことで、データ取り込み、呼び出しなどの様々な処理を可能としたシステムを開示している。
【０００７】
一方、データの表示または入力デバイスとして、近年、技術の進歩により、液晶ペンタブレットや液晶ディスプレイの画面から画像入力可能なインプットディスプレイなどが実用化されている。これらのデバイスは、場所をとらずに机に埋め込むことが可能であり、プロジェクタ型モニタやプロジェクタ型スキャナ（カメラを含む）を使った大掛かりな設備を使うことなく、ユーザのペンを利用した記録データの電子データとしての取得や、電子データの提示が容易に実現できる様になってきている。このようなデバイスは、デスクトップ型の固定された装置のみでなく、小型軽量化され、持ち運び可能になってきている。
【０００８】
しかし、液晶ペンタブレットや液晶インプットディスプレイを使い、液晶ペンタブレットや液晶インプットディスプレイの表示画面上に紙書類を置いて、紙書類に対してペンなどの筆記具によって文字、図面などを記録しようとする場合や、紙書類上の文字などを読み取ろうとする場合、次に示す新たな問題が発生する
（ａ）ディスプレイ表示が書類を透過して見えるため、見づらい。
（ｂ）書類の裏面に書かれたものが透過して見える（裏写り）ため、見づらい。
このような問題が発生する。
【特許文献１】特開平０６−２６６４９８号公報
【特許文献２】特開平０７−１６８９４９号公報
【特許文献３】特開平０９−１３４４４２号公報
【特許文献４】特開平０９−３１９５５６号公報
【発明の開示】
【発明が解決しようとする課題】
【０００９】
紙媒体および電子データは、双方とも併せて利用する機会は今後ますます増加するものと予測される。上述したように、液晶ペンタブレットや液晶インプットディスプレイなどの小型軽量化したデバイスを適用して、これら液晶ペンタブレットや液晶インプットディスプレイの表示画面上に紙書類を置いて、紙書類上の記録情報と、ディスプレイ上に表示された情報を併せて読み取る処理や、ディスプレイ上に表示された情報に基づいて、紙書類上にユーザが文字などを記録するといった処理は、例えば上述した電子カルテの利用構成のみならず、様々な分野で行われる処理となることが予測される。
【００１０】
しかし、このような処理において、上述したように、液晶ペンタブレットや液晶インプットディスプレイ上に紙書類を置いて、紙書類に対してペンなどの筆記具によって文字、図面などを記録しようとする場合や、紙書類上の文字などを読み取ろうとする場合、ディスプレイ表示データや、書類の裏面に書かれたものが透過して見える（裏写り）ため、見づらいといった問題が発生する。
【００１１】
本発明は、このような問題点に鑑みてなされたものであり、紙文書と、液晶ペンタブレットや液晶インプットディスプレイなどに表示可能な電子データを併用して利用する構成において、ディスプレイ表示データや、書類の裏面に書かれたものが透過して見える（裏写り）ため、見づらいといった問題を解決し、ユーザに対して良好な作業環境を提供することを可能とした情報処理装置、および情報処理方法、並びにコンピュータ・プログラムを提供することを目的とする。
【課題を解決するための手段】
【００１２】
本発明の第１の側面は、
表示入力デバイスに対する表示データの出力制御を実行する表示コントロール部と、
前記表示入力デバイス上の載置物の有無または位置を検出する載置物検出部とを有し、
前記表示コントロール部は、
前記載置物検出部の検出情報に基づき、前記表示入力デバイス上の載置物位置に対応する表示情報を均一色の表示データとする制御を実行する構成であることを特徴とする情報処理装置にある。
【００１３】
さらに、本発明の情報処理装置の一実施態様において、前記表示コントロール部は、前記載置物検出部の検出した前記表示入力デバイス上の載置物の位置の外周部に、コマンド入力、あるいはデータ呼び出し用の入力部の表示処理を実行する構成であることを特徴とする。
【００１４】
さらに、本発明の情報処理装置の一実施態様において、前記表示コントロール部は、前記載置物検出部の検出した前記表示入力デバイス上の載置物の位置に対応する位置に、載置物を介して認識可能としたコマンド入力、あるいはデータ呼び出し用の入力部の表示処理を実行する構成であることを特徴とする。
【００１５】
さらに、本発明の情報処理装置の一実施態様において、前記表示コントロール部は、前記載置物検出部の検出した前記表示入力デバイス上の載置物の位置に対応する位置に、載置物を介して認識可能としたデータの表示処理を実行する構成であることを特徴とする。
【００１６】
さらに、本発明の情報処理装置の一実施態様において、前記表示入力デバイスは、記表示入力デバイス上に載置された紙媒体に対して情報書き込みを行なうペンの書き込み情報を検出するセンサ機能を有し、前記情報処理装置は、前記表示入力デバイスから書き込み情報を入力し、データ記憶部に記憶する処理を実行する構成であることを特徴とする。
【００１７】
さらに、本発明の情報処理装置の一実施態様において、前記情報処理装置は、さらに、前記表示入力デバイス上に載置された紙媒体に対して情報書き込みを行なうペンの書き込み情報をベンを介して入力するペン対応のインタフェースを有することを特徴とする。
【００１８】
さらに、本発明の第２の側面は、
情報処理方法であり、
表示入力デバイス上に載置された載置物の有無または位置を検出する検出ステップと、
前記検出ステップにおいて検出された検出情報に基づき、前記表示入力デバイス上の載置物位置に対応する表示情報を均一色の表示データとする制御を実行する表示コントロールステップと、
を有することを特徴とする情報処理方法にある。
【００１９】
さらに、本発明の情報処理方法の一実施態様において、前記情報処理方法は、さらに、前記検出ステップにおいて検出した前記表示入力デバイス上の載置物の位置の外周部に、コマンド入力、あるいはデータ呼び出し用の入力部の表示処理を実行するステップを有することを特徴とする。
【００２０】
さらに、本発明の情報処理方法の一実施態様において、前記情報処理方法は、さらに、前記検出ステップにおいて検出した前記表示入力デバイス上の載置物の位置に対応する位置に、載置物を介して認識可能としたコマンド入力、あるいはデータ呼び出し用の入力部を表示する処理を実行するステップを有することを特徴とする。
【００２１】
さらに、本発明の情報処理方法の一実施態様において、前記情報処理方法は、さらに、前記検出ステップにおいて検出した前記表示入力デバイス上の載置物の位置に対応する位置に、載置物を介して認識可能としたデータの表示処理を実行するステップを有することを特徴とする。
【００２２】
さらに、本発明の情報処理方法の一実施態様において、前記情報処理方法は、さらに、記表示入力デバイス上に載置された紙媒体に対して情報書き込みを行なうペンの書き込み情報を検出するステップと、前記表示入力デバイスを介して書き込み情報を入力し、データ記憶部に記憶する処理を実行するステップとを有することを特徴とする。
【００２３】
さらに、本発明の第３の側面は、情報処理をコンピュータ上において実行させるコンピュータ・プログラムであり、表示入力デバイス上に載置された載置物の有無または位置を検出する検出ステップと、前記検出ステップにおいて検出された検出情報に基づき、前記表示入力デバイス上の載置物位置に対応する表示情報を均一色の表示データとする制御を実行する表示コントロールステップと、を有することを特徴とするコンピュータ・プログラムにある。
【００２４】
なお、本発明のコンピュータ・プログラムは、例えば、様々なプログラム・コードを実行可能なコンピュータシステムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータシステム上でプログラムに応じた処理が実現される。
【００２５】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２６】
本発明の構成によれば、表示入力デバイス上に載置された載置物（例えば紙媒体）の位置を検出し、検出した表示入力デバイス上の載置物の位置に対応する表示情報を均一色の表示データとする制御を実行する構成としたので、ディスプレイ上に紙書類を置いて、紙書類に対してペンなどの筆記具によって文字、図面などを記録しようとする場合や、紙書類上の文字などを読み取ろうとする場合、ディスプレイ表示データや、書類の裏面に書かれたものが透過して見える（裏写り）ため、見づらいといった問題が解決され、ユーザに対して良好な作業環境を提供することが可能となる。
【００２７】
さらに、本発明の構成によれば、表示コントロール処理によって、表示入力デバイス上の載置物（例えば紙媒体）の位置の外周部に、コマンド入力、あるいはデータ呼び出し用の入力部の表示処理を実行する構成としたので、紙媒体に対して書き込みなどを行なうユーザが関係情報をデータベースから呼び出すといった処理を効率的に行なうことが可能となり、作業効率を向上させることが可能となる。
【発明を実施するための最良の形態】
【００２８】
以下、図面を参照しながら本発明の情報処理装置、および情報処理方法、並びにコンピュータ・プログラムの詳細について説明する。
【００２９】
まず、図１を参照して、本発明の情報処理装置の構成および利用態様について説明する。ユーザ１００は、机上に置かれた表示入力デバイス１２０の上に紙媒体１０１を重ねてペン１３０を用いて文字や図形などを書き込む処理を実行する。
【００３０】
表示入力デバイス１２０は、例えば、液晶ディスプレイ、液晶タブレット等のデータ表示機能を備え、さらに、紙１０１などの置かれた位置を検出するセンサ機能を持つ。センサ機能の一例として例えばスキャナ機能を備える構成としてもよい。
【００３１】
ペン１３０は、筆跡情報を出力可能なペンとして構成する。あるいは、表示入力デバイス１２０側で、ペン１３０の筆跡情報を検出する機能を備える構成とする。ペンは、実際にインクを内蔵して文字を書けるように構成されている。
【００３２】
筆跡情報をペン１３０から出力可能とした構成とした場合、ペン１３０はＰＣ等の情報処理装置２００に有線あるいは無線で接続されている。情報処理装置２００のデジタルペンインタフェース部２０４はペン１３０と通信を行い、ペンの移動情報（軌跡）情報を取得する。ペン１３０は、紙媒体１０１に予め記録されたコード情報のスキャン処理を行い、ペン１３０によってスキャンされたコードシーケンスによって、筆跡情報を取得することができる。なお、紙媒体１０１に予め記録されたコード情報はペン１３０のスキャン処理によってスキャン可能な不可視コードとして紙に記録されている。
【００３３】
また、表示入力デバイス１２０側で、ペン１３０の筆跡情報を検出する機能を備える構成とした場合は、表示デバイス１２０側に入力タブレット機能を持たせる。表示入力デバイス１２０は、ＰＣ等の情報処理装置２００に有線あるいは無線で接続されている。情報処理装置２００のタブレットコントロール部２０３は、表示入力デバイス１２０から、ペンの移動情報（軌跡）情報を取得する。
【００３４】
図１に示すように、表示入力デバイス１２０は、表示入力デバイス１２０に対する表示データを出力し、また、紙１０１などの置かれた位置を検出する処理制御等を実行する情報処理装置２００に接続されている。情報処理装置２００はＰＣ等によって構成される。
【００３５】
情報処理装置２００は、図に示すように、表示コントロール部２０１、載置物検出部２０２、タブレットコンロール部２０３、デジタルペンインタフェース部２０４、制御部２０５、記憶部２０６、通信Ｉ／Ｆ２０７を有する。なお、上述したように、タブレットコンロール部２０３、デジタルペンインタフェース部２０４は、いずれもペン１３０の筆跡情報を取得する処理を実行するものであり、いずれか一方を備える構成とすればよい。
【００３６】
情報処理装置２００の表示コントロール部２０１は、表示入力デバイス１２０に対する表示データの出力制御を実行する。載置物検出部２０２は、紙媒体１０１など表示入力デバイス１２０上に置かれた載置物の位置または有無の検出情報を入力する。制御部２０５は、各処理部の処理制御、データ転送制御を実行する。記憶部２０６は、表示入力デバイス１２０に対する表示データ、ペン１３０あるいは表示入力デバイス１２０から入力する筆跡情報に基づく紙媒体１０１に対する書き込みデータの格納部として機能する。制御部２０５は、これらのデータの入出力制御、格納制御を行なう。記憶部２０６は、さらに、各種処理プログラムの記憶領域として利用される。通信Ｉ／Ｆは、情報処理装置２００とネットワーク接続された外部のサーバなどの情報処理装置２５０との通信処理を実行する。
【００３７】
表示入力デバイス１２０の構成例について、図２を参照して説明する。図２に示す例は、表示入力デバイス１２０側で、ペン１３０の筆跡情報を検出する機能を備える構成とした場合の表示入力デバイス１２０の構成例である。
【００３８】
表示入力デバイス１２０は、図２に示すように、タッチセンサ１２１、表示デバイス１２２、センサ（スキャナ）１２３の機能部を持つ。タッチセンサ１２１は、ペン１３０の筆跡情報や接触位置を検出する。検出情報は、図１に示す情報処理装置２００のタブレットコントロール部２０３に入力される。
【００３９】
表示入力デバイス１２２は、図１に示す情報処理装置２００の表示コントロール部２０１から出力される表示データを表示する。センサ（スキャナ）１２３は、紙１０１などの置かれた位置を検出する。検出情報は、図１に示す情報処理装置２００の載置物検出部２０２に入力される。
【００４０】
本発明の情報処理装置２００における具体的な処理について、図３以下を参照して説明する。図３は、表示入力デバイス１２０に、紙媒体１０１を置き、ユーザがペン１３０を用いて書き込みを行なう処理状態を示している。ここでは、ユーザが医師であり、カルテに対する書き込み情報を紙媒体１０３に書き込み、データベースに記録された様々な情報が表示入力デバイス１２０に表示された状態を示している。
【００４１】
上述したように、ディスプレイ上に紙書類を置いて、紙書類に対してペンによって文字、図面などを書き込む場合や、紙書類上の文字などを読み取ろうとする場合、ディスプレイ表示データや、書類の裏面に書かれたものが透過して見える（裏写り）ため、見づらいといった問題が発生する。本発明の情報処理装置２００は、表示入力デバイス１２０の上に置かれた紙媒体の領域を、図２を参照して説明したセンサ１２３によって検出し、検出情報を載置物検出部２０２を介して入力する。
【００４２】
さらに、表示コントロール部２０１は、この紙の置かれた位置情報に基づいて、紙の置かれた位置に対応する表示データを消去し、黒、グレーなどの均一色に設定した表示制御を実行する。図４に紙媒体１０３の背面のデータ表示構成を示す。図４に示す均一色表示領域３０１は、紙媒体の置かれた位置に相当する表示入力デバイス１２０の表示画面を示している。表示コントロール部２０１は、この均一色表示領域３０１に対するテキストデータやグラフィックデータなどの表示を停止し、例えば黒、グレーなどの均一な表示色の表示領域として設定する。
【００４３】
この表示制御の結果、紙媒体を介してディスプレイ表示データや、書類の裏面に書かれたものが透過して見える（裏写り）といった現象が防止されることになり、ユーザは、ディスプレイ上の紙書類に対してペンによって文字、図面などを書き込む処理や、紙書類上の文字などを読み取る処理を、机上に紙書類をおいて作業すると同様、何ら違和感を伴うことなく行なうことができる。
【００４４】
さらに、情報処理装置２００において実行するその他の処理構成について、図５以下を参照して説明する。図５は、図３と同様、表示入力デバイス１２０に、紙媒体１０１を置き、ユーザがペン１３０を用いて書き込みを行なう処理状態を示している。ここでは、ユーザが医師であり、カルテに対する書き込み情報を紙媒体１０３に書き込み、データベースに記録された様々な情報が表示入力デバイス１２０に表示された状態を示している。
【００４５】
表示入力デバイス１２０には、予めユーザである医師がデータベースから読み出したある特定の患者に対応する登録情報、例えば患者のレントゲン画像情報などが一般表示データ３２１として表示されている。その表示データ上に紙媒体１０１を置くことで、図４を参照して説明したように、紙媒体１０１の載置位置の表示データは消され、黒あるいはグレー等の表示領域として設定される。さらに、紙媒体１０１の周囲に、紙媒体対応表示データ３２２が表示される。
【００４６】
紙媒体対応表示データ３２２は、例えば図５に示すように、「検査」、「処方箋」、「診療履歴」などの項目に区分され、各項目には、コマンド入力、あるいはデータ呼び出し用の入力部が表示される。例えば、検査項目には、［血液］、［血圧］、［心電図］などの各入力部が表示され、例えば［血液］の入力部位置にペン１３０を接触させることで、接触情報が表示入力デバイス１２０から情報処理装置２００に入力される。
【００４７】
図２を参照して説明したタッチセンサ１２１によって、ペン１３０の接触位置が検出され、検出情報が、図１に示す情報処理装置２００のタブレットコントロール部２０３に入力される。この入力情報に基づいて、検査項目中の［血液］の表示位置にペン１３０が接触したと判別されると、制御部２０５の制御により、図１に示す記憶部２０６、あるいはネットワーク接続されたサーバの管理するデータベースから予め指定された患者に対応する血液情報を読み出し、表示コントロール部２０１を介して、表示入力デバイス１２０に出力される。表示入力デバイス１２０の一般表示データ３２１の表示領域に血液情報を表示する。
【００４８】
その他の「処方箋」、「診療履歴」等の各項目に配置された入力部も同様であり、各入力部にペン１３０を接触させることで、各入力部に対応するデータが記憶部またはデータベースから読み出され、表示入力デバイス１２０の一般表示データ表示領域に情報が表示される。
【００４９】
次に、図６以下を参照して、携帯型の表示入力デバイスを適用した構成例について説明する。図６に示す表示入力デバイス４２０は、携帯型とした表示入力デバイスである。この携帯型の表示入力デバイス４２０は、紙媒体４１０を固定するクリップ４０１が設けられ、基本的に紙媒体の位置が固定されている。従って、紙の設定位置を検出するスキャナ等の高機能なセンサ機能は省略可能であり、紙の有無のみを検出する簡易的なセンサが設置される。
【００５０】
図７にセンサ４２８を示す。基本的に装着する紙の大きさを規定し、紙媒体４１０が装着されている否かのみをセンサ４２８によって検出する。検出情報は、有線あるいは無線によって、図示しない情報処理装置に送信される。情報処理装置は、先に図１を参照して説明した構成を有し、センシング情報に応じて、図６に示す紙媒体対応表示データ４２２を紙媒体４１０の周囲に表示する。
【００５１】
紙媒体対応表示データ４２２は、先に説明したと同様の構成を持ち、「検査」、「処方箋」、「診療履歴」などの項目に区分され、各項目には、コマンド入力、あるいはデータ呼び出し用の入力部が表示される。これらの入力部に対してペン１３０を接触されることにより、対応するデータが読み出され、表示入力デバイス４２０に読み出しデータが表示される。これらの処理は、先に説明した処理構成と同様である。
【００５２】
次に、図８以下を参照して、紙媒体などの載置物の載置に応じて表示入力デバイスに表示する紙媒体対応表示データを載置物（紙媒体）を介して見ることを可能とした構成例について説明する。上述した構成では、紙媒体対応表示データは、例えば図５に示す紙媒体対応表示データ３２２や、図６に示す紙媒体対応表示データ４２２のように、紙媒体の周囲に表示する構成例として説明した。
【００５３】
しかし、載置物としての紙媒体などを光透過率の高い素材として構成することで、紙媒体の背面位置の表示領域にデータを表示し、表示データを載置物（紙媒体）を介して見る構成とすることができる。例えば、図８に示すように、紙媒体４７２を介して紙媒体対応表示データ４２２を表示する。
【００５４】
表示入力デバイス４７０は、紙媒体４７２が載置されたことを検出し、紙媒体の載置位置に紙媒体対応表示データ４２２を表示する制御を行なう。ユーザは、光透過率の高い紙媒体４７２を介して紙媒体対応表示データ４２２を見ることができる。なお、この構成では、予め紙媒体４７２をユーザによる書き込み領域と、非書き込み領域とに区分して設定し、非書き込み領域に紙媒体対応表示データ４２２を表示する構成とすることが好ましい。
【００５５】
さらに、図９に示すように、グラフィックデータを紙媒体４７２を介して表示する構成としてもよい。図９に示す例では、紙媒体対応表示データ４７４として、体の部位を示す絵（シェーマ）を表示した例を示している。ユーザ（医師）は、この絵（シェーマ）を参照して腫瘍、切除などの診断情報、処方箋情報などを書き込むことができる。また、この絵（シェーマ）を下絵としてなぞることにより、紙媒体に複雑な内臓の構成などを容易に記録することができる。
【００５６】
なお、表示入力デバイスは、ＯＮ／ＯＦＦできる専用スイッチを設ける構成とすることが好ましい。例えば眼科などでは、真っ暗な中で診察し、ライトをつけて、カルテ記入している。これに対応するためである。また、周囲の明るさを検知して、光量を制御する構成とすることが好ましい。周囲の明るさに対応する最適光量の対応テーブルを持ち、その値を変更可能にする。例えば光量設定手段を設け、ユーザが手動で調整、登録ボタンを押すとそのときの周囲の明るさと設定値をテーブルに登録する。さらに、ユーザがペンによって入力している文字の間違いなどを検出し、その位置に赤の点滅パターンを表示する構成としてもよい。例えば、医師が処方箋を書く際に、薬品名と投薬量を検出して、決められた上限を超えた場合などがこれに該当する。
【００５７】
次に、本発明の情報処理装置の実行する一処理例のシーケンスについて図１０に示すフローチャートを参照して説明する。図１に示す情報処理装置の構成に対応付けて説明を行なう。
【００５８】
まず、ステップＳ１０１において、紙媒体が表示入力デバイス１２０上に載置されたかを検出する。この検出処理は、図２を参照して説明した表示入力デバイス１２０のセンサ１２３によって行なわれ、検出情報が載置物検出部２０２に入力される。ステップＳ１０２において、紙媒体の載置が検出された場合、ステップＳ１０３に進み、紙媒体載置位置の表示データを均一色、例えば黒やグレーに設定する表示制御を実行する。この制御は表示コントロール部２０１が、検出情報が載置物検出部２０２に入力された紙媒体の載置位置情報に従って実行する。
【００５９】
次に、ステップＳ１０４において、紙媒体載置位置の周囲に紙媒体対応表示データを表示する。これは、例えば図５に示す紙媒体対応表示データ３２２である。この処理も、表示コントロール部２０１が、検出情報が載置物検出部２０２に入力された紙媒体の載置位置情報に従って実行する。
【００６０】
次に、ステップＳ１０５において、紙媒体対応表示データに設定された入力部からの入力の有無を判別する。これは、図５を参照して説明した処理であり、例えば図５に示す［血液］の入力部位置にペン１３０を接触させることで、接触情報が表示入力デバイス１２０から情報処理装置２００に入力される。図２を参照して説明したタッチセンサ１２１によって、ペン１３０の接触位置が検出され、検出情報が、図１に示す情報処理装置２００のタブレットコントロール部２０３に入力される。
【００６１】
ステップＳ１０５において、紙媒体対応表示データに設定された入力部からの入力があったと判定すると、ステップＳ１０６に進み、入力部の位置情報に基づいて要求内容を判別し、ステップＳ１０７において、判別情報に基づく、データ処理、すなわちデータ取得および取得データの表示処理などを実行する。
【００６２】
具体的には、例えば図５に示す［血液］の入力部位置にペン１３０を接触させたばあいは、図２を参照して説明したタッチセンサ１２１によって、ペン１３０の接触位置が検出され、検出情報が、図１に示す情報処理装置２００のタブレットコントロール部２０３に入力され、検査項目中の［血液］の表示位置にペン１３０が接触したと判別され、制御部２０５の制御により、図１に示す記憶部２０６、あるいはネットワーク接続されたサーバの管理するデータベースから予め指定された患者に対応する血液情報を読み出し、表示コントロール部２０１を介して、表示入力デバイス１２０に出力される。表示入力デバイス１２０の一般表示データ３２１の表示領域に血液情報を表示する。
【００６３】
なお、図１０に示す処理例は、本発明の情報処理装置の一実施例に対応する処理例であり、例えば、ステップＳ１０４では、紙媒体の周囲に紙媒体対応表示データを表示する処理として説明してあるが、図８を参照して説明した例のように、紙媒体の載置位置にこれらのデータを表示して、紙媒体を介してユーザが表示データを見る構成としてもよい。
【００６４】
［ハードウェア構成例］
最後に、上述した処理を実行する情報処理装置のハードウェア構成例について、図１１を参照して説明する。図１１に示すハードウェア構成は、一般的なコンピュータ構成に上述した実施例において説明した機能を持つペン５０８および表示入力デバイス５１０を備えた構成を示している。
【００６５】
ＣＰＵ（Central Processing Unit）５０１は、ＯＳ（Operating System)の他、上述の実施例において説明した表示制御、紙媒体載置位置検出、ペンによる筆跡情報の解析処理などの各種処理シーケンスを記述した各種コンピュータ・プログラムに従った処理を実行する制御部である。
【００６６】
ＲＯＭ（Read Only Memory）５０２は、ＣＰＵ５０１が使用するプログラムや演算パラメータ等を格納する。ＲＡＭ（Random Access Memory）５０３は、ＣＰＵ５０１の実行において使用するプログラムや、その実行において適宜変化するパラメータ等を格納する。これらはＣＰＵバスなどから構成されるホストバス５０４により相互に接続されている。
【００６７】
ホストバス５０４は、ブリッジ５０５を介して、ＰＣＩ(Peripheral Component Interconnect/Interface)バスなどの外部バス５０６に接続されている。
【００６８】
ペン５０８は、ユーザにより操作される入力デバイスとして機能し、筆跡情報が著説、あるいは表示入力デバイス５１０を介して入力される。表示入力デバイス５１０は、例えば、図２を参照して説明したように、タッチセンサ、表示デバイス、センサ（スキャナ）の各機能を有する。
【００６９】
ＨＤＤ（Hard Disk Drive）５１１は、ハードディスクを内蔵し、ハードディスクを駆動し、ＣＰＵ５０１によって実行するプログラムや情報を記録または再生させる。ハードディスクは、例えば電子カルテ情報などの各種データ、さらに、上述した処理を実行するデータ処理プログラム等、各種コンピュータ・プログラムが格納される。
【００７０】
ドライブ５１２は、装着されている磁気ディスク、光ディスク、光磁気ディスク、または半導体メモリ等のリムーバブル記録媒体５２１に記録されているデータまたはプログラムを読み出して、そのデータまたはプログラムを、インタフェース５０７、外部バス５０６、ブリッジ５０５、およびホストバス５０４を介して接続されているＲＡＭ５０３に供給する。リムーバブル記録媒体５２１も、ハードディスクと同様、電子カルテ情報などの各種データ、さらに、上述した処理を実行するデータ処理プログラム等、各種コンピュータ・プログラムの記憶部としての役割を持つことができる。
【００７１】
接続ポート５１４は、外部接続機器５２２を接続するポートであり、ＵＳＢ，ＩＥＥＥ１３９４等の接続部を持つ。接続ポート５１４は、インタフェース５０７、および外部バス５０６、ブリッジ５０５、ホストバス５０４等を介してＣＰＵ５０１等に接続されている。通信部５１５は、ネットワークに接続され、外部とのデータ通信処理を実行する。
【００７２】
なお、図１１に示す情報処理装置のハードウェア構成例は、基本的なＰＣ構成を適用して構成した１つの装置例を示すものであり、本発明の情報処理装置は、図１１に示す構成に限らず、上述した実施例において説明した処理を実行可能な構成であればよい。
【００７３】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００７４】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００７５】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００７７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００７８】
以上、説明したように、本発明の構成によれば、表示入力デバイス上に載置された紙媒体の位置を検出し、検出した表示入力デバイス上の紙媒体の位置に対応する表示情報を均一色の表示データとする制御を実行する構成としたので、ディスプレイ上に紙書類を置いて、紙書類に対してペンなどの筆記具によって文字、図面などを記録しようとする場合や、紙書類上の文字などを読み取ろうとする場合、ディスプレイ表示データや、書類の裏面に書かれたものが透過して見える（裏写り）ため、見づらいといった問題が解決され、ユーザに対して良好な作業環境を提供することが可能となる。
【００７９】
さらに、本発明の構成によれば、表示コントロール処理によって、表示入力デバイス上の紙媒体の位置の外周部に、コマンド入力、あるいはデータ呼び出し用の入力部の表示処理を実行する構成としたので、紙媒体に対して書き込みなどを行なうユーザが関係情報をデータベースから呼び出すといった処理を効率的に行なうことが可能となり、作業効率を向上させることが可能となる。
【図面の簡単な説明】
【００８０】
【図１】本発明の情報処理装置の構成および利用態様について説明する図である。
【図２】表示入力デバイスの構成例について説明する図である。
【図３】本発明の情報処理装置を適用した具体的な処理について説明する図である。
【図４】表示入力デバイスにおける紙媒体の背面のデータ表示構成を示す図である。
【図５】紙媒体の周囲に、紙媒体対応表示データを表示する処理例について説明する図である。
【図６】携帯型の表示入力デバイスを適用した構成例について説明する図である。図である。
【図７】紙媒体の有無を検出するセンサを設けた表示入力デバイスの構成例について説明する図である。
【図８】紙媒体の載置に応じて表示入力デバイスに表示する紙媒体対応表示データを、紙媒体を介して見ることを可能とした構成例について説明する図である。
【図９】紙媒体の載置に応じて表示入力デバイスに表示する紙媒体対応表示データを、紙媒体を介して見ることを可能とした構成例について説明する図である。
【図１０】本発明の情報処理装置の実行する一処理例のシーケンスについて説明するフローチャートを示す図である。
【図１１】本発明の情報通知システムを構成するユーザ端末、管理サーバおよび印刷媒体出力装置のハードウェア構成例について説明する図である。
【符号の説明】
【００８１】
１００  ユーザ
１０１  紙媒体
１２０  表示入力デバイス
１２１  タッチセンサ
１２２  表示デバイス
１２３  センサ（スキャナ）
２００  情報処理装置
２０１  表示コントロール部
２０２  載置物検出部
２０３  タブレットコンロール部
２０４  デジタルペンインタフェース部
２０５  制御部
２０６  記憶部
２０７  通信Ｉ／Ｆ
２５０  情報処理装置（サーバ）
３０１  均一色表示領域
３２１  一般表示データ
３２２  紙媒体対応表示データ
４０１  クリップ
４１０  紙媒体
４２０  表示入力デバイス
４２１  一般データ表示領域
４２２  紙媒体対応表示データ
４２８  センサ
４７０  表示入力デバイス
４７２  紙媒体
４７３  紙媒体対応表示データ
４７４  紙媒体対応表示データ
５０１  ＣＰＵ(Central Processing Unit)
５０２  ＲＯＭ（Read-Only-Memory）
５０３  ＲＡＭ（Random Access Memory）
５０４  ホストバス
５０５  ブリッジ
５０６  外部バス
５０７  インタフェース
５０８  ペン
５１０  表示入力デバイス
５１１  ＨＤＤ（Hard Disk Drive）
５１２  ドライブ
５１４  接続ポート
５１５  通信部
５２１  リムーバブル記録媒体
５２２  外部接続機器
【図１】
2006350927.tif 000003
【図２】
2006350927.tif 000004
【図３】
2006350927.tif 000005
【図４】
2006350927.tif 000006
【図５】
2006350927.tif 000007
【図６】
2006350927.tif 000008
【図７】
2006350927.tif 000009
【図８】
2006350927.tif 000010
【図９】
2006350927.tif 000011
【図１０】
2006350927.tif 000012
【図１１】
2006350927.tif 000013